(57)【要約】      （修正有）【課題】洪水時堤防決壊防止作業で作業者が堤防欠損箇所に近寄ることなく、離れた場所から操作して堤防欠損箇所に保全資材を誘導沈底させ、だれでも安全に堤防欠損の洗掘、流出を抑止し、堤防を保全する堤防仮補強材と工法を提供する。【解決手段】河川堤防決壊の懸念があるような損傷場所において、堤体土砂の移動、洗掘、流出を防止する為の洗掘防止具４を堤防２３に沿って上流に固定した支持杭２にロープ３により締結し、激流中に投入・流下させる。決壊場所に届くように長さを調整されたロープ３の寸法が一杯伸びた場所に洗掘防止具４を堤防２３の損壊部に沈底させる。着底した洗掘防止具４の吸水膨張したポリマー土嚢が激流と堤防損壊部との間にバリヤーを形成し、堤防の洗掘、流出を防止する。【選択図】図１
2015078488.tif 000002
【特許請求の範囲】
【請求項１】
水中沈下性の堤防洗掘防止具の一方の端に、着脱自在にロープを取り付け、該ロープの他方の端を堤防上面に繋ぎ止めた後、洪水による堤防洗掘発生個所の上流から、該堤防洗掘防止具を投下して下流に流し、該ロープの長さを調整することによって、該堤防洗掘防止具を、該堤防洗掘発生個所に沈底させるとともに、該沈底した堤防洗掘防止具の上に更に該堤防洗掘防止具を堆積させて、該洗掘部を補修することを特徴とする堤防洗掘部の補修方法。
【請求項２】
洪水による堤防洗掘発生個所の上流と下流の区間で緩く架け渡したロープに、水中沈下性の堤防洗掘防止具を摺動自在に取り付け、該堤防洗掘防止具を、該ロープの上を摺動させながら該洗掘箇所に着水、沈下、沈底させるとともに、該沈底した堤防洗掘防止具の上に更に該堤防洗掘防止具を堆積させて、該洗掘部を補修することを特徴とする堤防洗掘部の補修方法。
【請求項３】
前記水中沈下性の堤防洗掘防止具が、芯材周囲に吸水膨張性樹脂土嚢を膨張自在に緩く取り付けてなると共に、該吸水膨張性樹脂土嚢と該芯材を合わせた重量を水中で沈下する重量に調整してなる構造からなることを特徴とする請求項１に記載の堤防洗掘部の補修方法。
【請求項４】
前記水中沈下性の堤防洗掘防止具が、芯材周囲に砂土嚢を取り付けた構造からなることを特徴とする請求項１に記載の堤防洗掘部の補修方法。
【請求項５】
前記水中沈下性の堤防洗掘防止具の先頭部周囲に、川の流れ方向に広がる枝葉状整流材を取り付けてなることを特徴とする請求項１、３、４のいずれか１項に記載の堤防洗掘部の補修方法。
【請求項６】
前記枝葉状整流材は、柔軟性芯材の長さ方向に、葉っぱ状薄片を、複数個吊着してなる構造からなることを特徴とする請求項５に記載の堤防洗掘部の補修方法。
【請求項７】
前記葉っぱ状薄片が吸水性樹脂からなる薄片であることを特徴とする請求項６に記載の堤防洗掘部の補修方法。
【請求項８】
前記水中沈下性の堤防洗掘防止具の吸水膨張性樹脂土嚢の中に、砂粒子あるいは金属粒子を混ぜることで、前記水中沈下性の堤防洗掘防止具の重量を調整することを特徴とする請求項３に記載の堤防洗掘部の補修方法。
【請求項９】
前記水中沈下性の堤防洗掘防止具の芯材の中に重錘用の鉄筋あるいは鉄くず又は、重量砂を挿入して芯材の重量を調整することを特徴とする請求項３に記載の堤防洗掘部の補修方法。
【請求項１０】
前記水中沈下性の堤防洗掘防止具を複数個、直列又は、並列に連結することを特徴とする請求項３、４のいずれか１項に記載の堤防洗掘部の補修方法。
【請求項１１】
前記複数個、直列又は、並列に連結した水中沈下性の堤防洗掘防止具の各先部周囲に、前記請求項５に記載した川の流れ方向に広がる枝葉状整流材を取り付けてなることを特徴とする請求項１０に記載の堤防洗掘部の補修方法。
【請求項１２】
前記複数個、直列又は、並列に連結した水中沈下性の堤防洗掘防止具の先部と後部にアンカー土嚢を連結してなることを特徴とする請求項１０に記載の堤防洗掘部の補修方法。
【請求項１３】
前記水中沈下性の堤防洗掘防止具の構造が、土嚢側面に着脱自在の丸環を取り付け、該丸環をロープにはめ込んで吊るして、該ロープの上を摺動させる構造であることを特徴とする請求項２に記載の堤防洗掘部の補修方法。
【請求項１４】
請求項３〜９のいずれか１項に記載の水中沈下性の堤防洗掘防止具。
【発明の詳細な説明】
【技術分野】
【０００１】
本発明は、洪水時の堤防洗掘部の補修方法と堤防洗掘防止具に関するものである。
【背景技術】
【０００２】
洪水時の堤体損傷は大きく分類して２種類になる。
堤防の越流による堤体流出被害と堤体盛土内側の急洗掘・流出による浸食崩壊である。
【０００３】
堤防の越流による堤体流出被害の対策として、特許文献１が開示されている。
特許文献１の発明は、洪水の発生する前に、予め堤防の中に堅牢な補強材を打ち込み、洪水時の越流による洗掘・流出を防止する方法である。
【０００４】
補強材の打ち込み工事（打設工事）には、重機械の使用が必須条件であり、その搬入や施工期間は天候の良好な季節（雨の少ない渇水期）に施工する工法であり、梅雨時や台風シーズンの増水時は二次災害の可能性があるために、施工が難しく、既設堤防の緊急増水対策には間に合わない問題、また莫大な設備費がかかる問題がある。そして最大の欠点は、激流による堤防内側の洗掘、流出は対策範囲に想定されていないことである。
【０００５】
一方、洪水発生時の激流による、堤防内側の緊急時洗掘、流出対策としては、古くから
「木流し工法」が知られているに過ぎない。
【０００６】
「木流し工法」とは、たとえば下記のような工程で洗掘を防止する方法である。
すなわち、枝葉の茂った木を根元から伐採し、木の幹、枝に土嚢を括り付け、木の根元の方にはロープを括り付け、ロープのもう一方の端は、堤防の上に打ち込んだ支持杭に括り付けて、堤防の洗掘箇所よりも上流から、川の中に投てきする。
土嚢を括り付けられた木は、激流の中を沈下しながら下流に流され、支持杭に締結されたロープ寸法一杯伸びた場所（損傷場所に届くように長さを調整））まで流され、そこで沈下、沈底する。
ロープの長さを適宜調整することにより、木の沈底する場所を調整することが出来、堤防の洗掘区間の洗掘部全面を沈底した木で覆うことが出来る。
また二段、三段に重ねることにより、洗掘面高さ方向も、繁茂した木で覆うことが出来る。枝葉は、激しい流れを減速、緩和させる働きをする。また激流の中の荒物（石、固形
等）が堤防洗掘面に衝突して掘削するのを防ぐ障壁となる。
【０００７】
「木流し工法」は、上記したような構成からなるものであるが、施工に際して、下記の条件を満たしておく必要がある。
１  洪水に伴う堤防の洗掘は、昼夜を問わず予期せぬ時間に、予期せぬ場所で発生するので、いかなる時間、いかなる場所にも、人員を迅速に招集して、枝葉の茂った木を、タイムリーに運び込む事が必須条件。
２  また重たい土嚢付きの木を川べりまで搬送、投てきするので、施工作業そのものが危険であり、二次災害の危険もある。従って、施工は、誰にでもできるものではない。
経験のある訓練した要員が必要になる。
【０００８】
従来の「木流し工法」には、上記した１、２の様な問題点がある。
【先行技術文献】
【特許文献】
【０００９】
【特許文献１】特開２００６−１２５００６
【発明の概要】
【発明が解決しようとする課題】
【００１０】
本発明は、かかる問題点に鑑みてなされたもので、その目的は、平時は小型軽量でたたんでコンパクトに収納可能で、洪水時、現場まで迅速に持ち運んで、一般の素人でも簡単に組み立て装着が可能で、なおかつ洪水の堤防損傷部に作業者が近寄ることなく、安全な場所に身を置いて洗掘による堤防損傷の浸食をくい止める事を可能にする洪水時の堤防洗掘部の補修方法とそれに用いる堤防洗掘防止具を提供することにある。
【課題を解決するための手段】
【００１１】
本発明の前記した課題は下記２つの方法で解決することができる。
【００１２】
第一の解決方法は下記のとおりである。
すなわち、水中沈下性の堤防洗掘防止具の一方の端に、着脱自在にロープを取り付け、このロープの他方の端を堤防上面に繋ぎ止めた後、洪水による堤防洗掘発生個所の上流から、この堤防洗掘防止具を投下して下流に流しながら沈下させる。
この際、ロープ寸法一杯に伸びた時に、洗掘発生個所に堤防洗掘防止具が届くように、ロープの長さを調整しておくことで、この堤防洗掘防止具を、堤防洗掘発生個所全域に沈底させることが出来、そして更に沈底した堤防洗掘防止具の上に、更に堤防洗掘防止具を積み重ねることで、堤防の洗掘による喰われ部分の高さ方向全域を、堤防洗掘防止具で充填、復元することが可能で、この充填、復元作業によって、激流の浸食作用に対するバリヤー層を形成して、更なる喰われを防止することができる。
【００１３】
また第二の解決方法は下記のとおりである。
すなわち、洪水による堤防洗掘発生個所の上流と下流の区間で緩く架け渡したロープに、前記第一の方法で用いた水中沈下性の堤防洗掘防止具を摺動自在に取り付け、ロープの上を摺動させながら、この堤防洗掘防止具を水中に着水させる。
この時、ロープ長さを調整することによって、この堤防洗掘防止具を、堤防洗掘発生個所全域に沈底させることが出来、そして更に沈底した堤防洗掘防止具の上に、更に堤防洗掘防止具を積み重ねることで、堤防の洗掘による喰われ部分全域を、堤防洗掘防止具で充填、復元することが可能で、この充填、復元作業によって、激流の浸食作用に対するバリヤー層を形成して、更なる喰われを防止することができる。
【００１４】
前記水中沈下性の堤防洗掘防止具として、通常の砂を収納したいわゆる砂土嚢の体積を小さく小型化して、軽くしたものでもよい。
【００１５】
最も好ましい構造は、芯材周囲に丈夫な袋体の吸水膨張性樹脂土嚢を膨張自在に緩く取り付けた構造である。吸水膨張性樹脂土嚢は吸水すると体積が２０倍程度膨張するので、前記小さな砂土嚢と同じ重さで２０倍程度体積を稼げることになる。
【００１６】
土嚢の場合、水中沈下性であるが、吸水膨張性樹脂は水中、特に激流の中では水中沈下しにくい場合もあるので、吸水膨張性樹脂土嚢の場合は、吸水膨張性樹脂土嚢と芯材を合わせた重量を水中で沈下する重量に調整することが必要である。
【００１７】
前記水中沈下性の堤防洗掘防止具の先頭部周囲に枝葉状整流材を取り付けて前記該吸水膨張性樹脂土嚢を取囲んで保護することで、激流中の荒物（石、金属品、木材、その他の固形物）の衝突から、堤防洗掘防止具を保護することが出来る。また枝葉状整流材の存在は、堤防洗掘防止具に衝突する激流の流れの緩和、緩衝材になる。また前記水中沈下性の堤防洗掘防止具を複数個直列又は、並列につないだとき、つなぎ目部分には吸水膨張性樹脂土嚢が存在しないので、この部分に激流が入り込み、堤防に直接激流が衝突して、再び洗掘が起こる場合がある。
このつなぎ目から入り込む激流の防波堤の役目をするのが枝葉状整流材の役目でもある。
【００１８】
枝葉状整流材の構造は、柔軟性芯材の長さ方向に、葉っぱ状薄片を、複数個吊るした構造が好適である。
柔軟性芯材１本あたり、たとえば４〜１０個程度吊るすのが良い。
柔軟性芯材の本数は、前記吸水膨張性樹脂土嚢を取付けた芯材周囲に複数本、たとえば４〜６本程度、均等に、取り付けるのがよい。
また１葉当たりの薄片の面積は、たとえば１５ｃｍ×２０ｃｍ程度がよい。なお柔軟性芯材の本数、柔軟性芯材に吊るす葉っぱ状薄片の数、葉っぱ状薄片の面積には、特別な制約はなく、必要に応じて適宜増減してもよい。
【００１９】
薄片の素材と形状は、水の流れを抑制して静止化し、流れのエネルギーを邪魔する材料や形状であり、洪水期間中に形状維持できる素材なら何でも構わない。
自然素材の竹、樹木枝、稲わら、麦わら、葦、麻等が好適であり、化学製品ではナイロン系、ビニロン系、ＰＥ系、ＰＰ系、クレモナ系等が好適であり、金属系、ガラス繊維系でもよいが、最も好ましいのは、小型、薄片状の吸水樹脂土嚢である。
薄片形状は、天然の葉っぱ形状に限定される必要もなく、同じような機能が奏せられる短冊形状、すだれ形状、吹き流し形状等が好適に使用できる。
【００２０】
本発明に使用する堤防洗掘防止具は、激流の中でも川底まで沈底させる必要があるので、激流の水中でも、確実に沈むように重量調整してくことが必要である。
本来備わっている水中での浮力等を勘案すると、概ね４〜５ｋｇ以上で、持ち運びやすい重量にすることが必要である。
【００２１】
前記吸水膨張性樹脂土嚢の場合の重量調整には、吸水膨張性樹脂土嚢の中に、砂粒子あるいは金属粒子を混ぜることが好適である。また、芯材の中に重錘用の鉄筋あるいは鉄くず又は、重量砂を挿入して芯材の重量を調整してもよい。
【００２２】
前記水中沈下性の堤防洗掘防止具は、必要に応じて適宜、複数個、直列に、あるいは並列に連結して使用しても良い。
【００２３】
前記水中沈下性の堤防洗掘防止具を複数個、直列に連結した際、激流の流れが速くて堤防洗掘防止具が沈みにくい場合、直列に連結した堤防洗掘防止具の両端、つまり直列の先頭部と後部にアンカー土嚢を連結して重しを補強するのも有効である。
アンカー土嚢は補強用の重しである。
【発明の効果】
【００２４】
１  堤防損傷個所に堤防洗掘防止具を人力で用意、運搬、搬入できる。
２  作業者が堤防損傷部の上流で準備、対策作業が安全にできる。
３  河川の激流に投入した堤防洗掘防止具が流れに誘導されて損傷個所に沈底する。
４  沈底した堤防洗掘防止具の吸水性樹脂土嚢が吸水膨潤する
５  複数の堤防洗掘防止具の吸水性樹脂土嚢が膨潤して堤防浸食部と激流の間にバリヤーを形成する。
６  芯材に沿って締結された吸水土嚢同士が膨潤して隙間を埋める役割をして、激流の進入を弱め、浸食を防止する。
７  吸水土嚢バリヤーと堤防浸食部のスキマが静止水で充填され、激流による浸食作用が停止する
８  洪水中は上記の保護作用が継続して、堤体を浸食から守り、後日の修復作業まで、保護を続ける。
【発明を実施するための形態】
【００２５】
図１は、本発明方法を実施する前の状況を説明する図である。
図２は、本発明方法実施途中の状況を説明する図である。
【００２６】
図１において、水中で沈下する重量に調整されている堤防洗掘防止具４の一方の端（堤防洗掘防止具後部）には着脱自在にロープを取り付けられ、ロープのもう一方の端は、堤防天端面２４に打設されたロープ３に繋がれ、更に堤防表法面２５に打設されたアンカー鉄杭１に繋がれて、二重に固定されている。
支持杭２から堤防洗掘防止具４のロープのつなぎ目までの長さは、堤防洗掘防止具４を激流に投げ込んだとき、堤防洗掘防止具４の先頭部が丁度、堤防に洗掘が発生して損壊した個所に到達できるように、その長さを調節されている。
【００２７】
以上のような準備段階を終えた後に、堤防洗掘防止具４を洗掘発生個所よりも上流から、激流の中に投げ入れる。
堤防洗掘防止具４は激流の中を沈みながら下流に流され、ついにはロープが一杯に張られた所で河底に沈底する。
ロープの長さを適宜調整しながら、次々と堤防洗掘防止具４を激流の中に投下して、河底の洗掘部に、そして更に、川底に沈底した堤防洗掘防止具４の上に更に堤防洗掘防止具を積層、堆積させて、洗掘部水平方向、深さ方向全域に亘って補修を行ってゆく。
図２は、補修を行う途中の施工状況を説明する図である。
【００２８】
図３、４は、図１、２の堤防洗掘防止具４の構造を説明する図であり、図３は吸水樹脂土嚢の吸水膨張前の状態、図４は吸水樹脂土嚢が吸水して膨張した後の状況を説明する図である。
図５は、図３、４と異なる形状の吸水樹脂土嚢の各種形状を説明する図である。
【００２９】
図３において、堤防洗掘防止具４は、芯材５の周囲に、吸水樹脂土嚢６が自由に膨張できるように緩く取り付けられている。
芯材４の両端には、堤防洗掘防止具４同士を直列又は、並列に連結できるように、あるいはロープに連結するために、連結環７が取り付けられている。
連結環７は、芯材５の両端に開けられた穴の中に差し込まれて連結され、穴を中心にして自由に回転できる。
【００３０】
図４は図３の平板状の堤防洗掘防止具４が吸水膨張した状況を示す模式図である。
吸水樹脂土嚢６の表層は防護ネットで保護されている。
図４では、堤防洗掘防止具４は平板状であるが、洗掘防止具４の形状は、平板状のみに限定されるものではなく、たとえば図５に示す円柱型リング形状１９、六角形リング形状２０、４角形リング形状２１、２連結型形状２２等々のその他の形状であっても良い。本発明では、堤防洗掘防止具４は特定の形状になんら限定されるものではない。
【００３１】
図６、７、８は、吸水樹脂土嚢６の構造とその作用機能を説明する図である。
図７は吸水前の断面図、図８は吸水膨張時の断面図である。
吸水樹脂土嚢６は透水性の内袋１５（透水性カバー）の中に、細片状の吸水性高分子材料１７と重量調整用の重量砂粒１８が収納されており、内袋１５の外側は、更に高強度の外袋（プラスチックネット等）１６で補強、保護される二重構造になっている。
泥の混ざった激流の水（懸濁水）は、外袋１６、内袋透水性カバー１５を通過して吸水性樹脂層１７に吸収されることになる。
内袋の中の吸水性高分子１７と重量砂粒１８が混ざった層は、吸水前は５〜６ｍｍ程度
の厚さのものが、自重の約２０倍の水を吸収して、厚さが１００〜１１０ｍｍ程度まで膨張する。
吸収された水は吸水性高分子と結合してゲル化しており、膨潤した吸水性樹脂土嚢は堤防欠損部に定着し、多数が重なって積層化することで激流と堤体の間に静置水を存在させ緩衝体のバリヤーを形成する。
なお吸水樹脂土嚢６に重量調整用の重量砂粒１８を混合することは、本発明において必須条件ではない。たとえば吸水樹脂土嚢６は吸水性高分子のみとして、芯材の重量を調整して、堤防洗掘防止具４を前記した沈下重量にすることも可能である。
【００３２】
吸水性樹脂は、カルボキシル基、水酸基、エーテル基、アミド基当の親水性の官能基を有する高分子であり、澱粉にアクリル酸塩をグラフト重合させた澱粉系、カルボキシセルロースにアクリル酸塩をグラフト重合させたセルロース系、アクリル酸・ビニルアルコール共重合体、アクリル酸重合体、アクリル酸・アクリルアミド重合体、ポリエチレンオキサイド変性物等の合成系のものが使用できるが、前記透水性カバーと同じく、使用後の後処理が容易な、加熱焼却、溶融されやすいことが必要であるので、熱可塑性樹脂系の材料が最も好適に使用できる。また吸水性樹脂の使用形態は、微粉体、シート、顆粒、繊維、あるいはペレット状に加工して使用される。
【００３３】
透水性カバー１５はそれ自体が透水性である不織布や織布等の他に、ビニール等の非透水性シートに多数の小穴を設けて通水できるようにした構造でも使用される。
不織布は、ポリプロピレン、ポリエステル、ポリオレフィン、ポリビニルアルコール、ポリアミド等のスパンボンド法、水流交絡法等により製造したものを使用される。
織布は、ビスコース法レーヨン等の再生繊維、酢酸セルロース繊維等の半合成繊維、ポリアミド、ポリエステル、アクリル等の合成繊維を素材として製造したものが使用することができる。
【００３４】
吸水性樹脂土嚢の袋体は急流中の流木や転石等の荒物から土嚢を防護するためプラスチックネット１６等で二重・多重に保護される。
プラスチックネットカバー１６の素材はＰＥ，ＰＰ，ＣＰ，ＣＡＰ，ＣＡ，ＣＡＢ、ＡＢＳ，ＰＳ，ＥＶＡ，ナイロン等や麻袋等の自然由来の材料でも好適である。
【００３５】
図９、図１０は、芯材５の重量を調整するための構造を説明する図である。
図９は、パイプ状の芯材の中に重り鉄筋８を入れて重量調整するものであり、図１０は、パイプ状の芯材の中に重り鉄くずを入れて重量調整するものである。
芯材の素材としては塩ビ管、ＰＰパイプ、ＰＥパイプ、鉄パイプ、ＳＵＳパイプ、アルミパイプ、プラスチックパイプ等のパイプ材、あるいはホース素材、あるいは金属や樹脂の中実素材等、あるいは自然界に存在する竹や樹木等も使用できる。
【００３６】
図１１は、枝葉状整流材の構造を説明する模式図である。
葉っぱ状薄片１１は、概ね１５ｍ×２０ｃｍ程度の面積で、厚さ１〜２ｍｍ程度の薄片で、柔軟性芯材１２に吊り下げられるように取り付けられ、柔軟性芯材１２の周りを自由に回動できる。
柔軟性芯材１２は、直径５〜１０ｍｍ程度の弾力性のある金属、柔らかい樹脂、ロープからなり、取付穴が、芯材５の周囲に回動自在に取り付けられている。
【００３７】
図１２は、堤防洗掘防止具４を複数個直列につなぎ、直列につないだ堤防洗掘防止具４の両端（先頭部と後部）にアンカー土嚢１３を、そして後部に、更に、ロープ３を着脱自在金具１４で取り付け、ロープ３には、更に支持杭２とアンカー鉄杭１を取り付け、また個々の堤防洗掘防止具４の先頭部に枝葉状整流材を取り付けた状況を説明する図である。
実際の堤防洗掘部の補修に際して、先ず支持杭２を堤防天端面に、更にアンカー鉄杭を表法面に打設して固定した後、直列につないだ堤防洗掘防止具４が丁度、堤防洗掘部に沈底できる様に支持杭２と着脱自在金具１４までのロープ長さを調節した後、ロープを支持杭に巻着固定し、更にアンカー鉄杭に固定する。
しかる後に、直列につないだ堤防洗掘防止具４と両端（先頭部と後部）のアンカー土嚢１３と枝葉状整流材１０を、堤防洗掘部の上流側から激流の中に投下する。
【００３８】
直列につないだ堤防洗掘防止具４と両端（先頭部と後部）のアンカー土嚢１３と枝葉状整流材１０は、激流の中を沈下しながら下流に向かって流れ、杭に繋がれたロープが寸法一杯伸びた場所（堤防洗掘部）に沈底する。
ロープの長さを変えながら、堤防洗掘防止具４とアンカー土嚢１３と枝葉状整流材１０を堤防洗掘部の川底部に沈底させ、更に、河底に沈底した堤防洗掘防止具４とアンカー土嚢１３と枝葉状整流材１０の上に、同じものを積層、堆積して、堤防洗掘部全域を補修する。
図１２で、堤防洗掘防止具４を直列につないだ時のつなぎ目部分には、吸水膨張性樹脂土嚢が存在しないので、この部分に激流が入り込み、激流が堤防に直接衝突して、再び洗掘が起こる可能性がある。枝葉状整流材１０の存在は、このつなぎ目から入り込む激流を阻止する効果がある。
【００３９】
図１３、１４は、本発明請求項２の発明の説明図であり、図１３は、実施する前の状況を説明する図であり、図１４は、実施途中の状況を説明する図である。
図１５、１６は請求項２の発明で使用する堤防洗掘防止具４の構造を説明する図である。
【００４０】
図１３において、先ずロープ２８が、洪水によって堤防が洗掘されて出来た堤防洗掘発生個所の上流と下流の区間で、下流の堤防洗掘発生個所の底にロープが届く程度まで、緩く架け渡される。
次に、図１５、１６に示した丸環付吸水樹脂土嚢２６あるいは丸環付土嚢袋２９の丸環２７をロープ２８に嵌め込む。
ロープに嵌め込んだ丸環２７の内径は、ロープ径よりも大きく、ロープ表面を自由に摺動できるようになっている。
丸環付吸水樹脂土嚢２６あるいは丸環付土嚢袋２９を、ロープを滑らせて、堤防洗掘発生個所の底に到達させる。
ロープは複数個所架け渡しており、異なるロープを使って、沈底する位置が異なるように調整しながら、あるいは同じロープでも、ロープを上げ下げすることで、次々に丸環付吸水樹脂土嚢２６あるいは丸環付土嚢袋２９を、堤防洗掘発生個所の底、全域に、そして沈底した丸環付吸水樹脂土嚢２６あるいは丸環付土嚢袋２９の上に更に積層させて、洗掘部を逐次修理してゆく。
以上のような工程を経て、洗掘部の修理が行われることになる。
【００４１】
ロープ素材としては繊維系ロープとして、化学系のナイロン、ポリエステル、ポリエチレン、ビニロン、クレモナ、天然繊維系のマニラ、木綿、ジュート、パーム、サイザル、ヘンプロープ等が好適である。又、他に金属系の鉄、炭素鋼、ステンレス等によるワイヤー、チェーン等が好適である。
【００４２】
請求項２の発明で使用される吸水樹脂土嚢の構造は、図１５に示すように、図３で示した芯材５に取り付ける必要はなく、側面に丸環２６を取付けた構造になる。
外袋１６、内袋１５、内袋１５の内部の構造、及び重くする構造は、図３、図６、図７と同じ構造である。また本例の場合、図１６に示すように、砂入りの土嚢袋２９も使用することが出来る。
【実施例】
【００４３】
図３の構造の水中沈下性の堤防洗掘防止具を用いて鉄製水槽（アクリル窓付）でテストを行った。
水槽に人工的に堤防洗掘部（窪み）を作り、堤防洗掘防止具が流されて窪みに入るかどうかのテストを行った。
水中ポンプで激流を再現した。
【００４４】
芯材の寸法  ：１３φ×200ｍｍ長さの鉄パイプ
吸水性樹脂土嚢：５０ｍｍ×１００ｍｍ：５体
吸水性樹脂に砂粒を混ぜて各土嚢の重さを１０ｋｇに調整した。
支持杭        ：１０φ×３００ｍｍ長さ    ：５本
ロープ        ：  ４ｍｍφ×１ｍ長さ      ：５本
水槽          ：  幅１．８ｍ×長さ６ｍ×高さ１．２ｍ    １槽
水中ポンプ    ：  ３．５ｋｗ                  ：２台
上記水槽で激流（秒速：１ｍ）を再現し、沈設試験を行った。
吸水性樹脂土嚢５体を５本のロープに繋ぎ、それぞれのロープ５本を水流の中に投下して、吸水性樹脂土嚢を窪みに入れるテストをした。
吸水性樹脂土嚢は、ロープ長さ一杯に張ったところで水槽側面に押し付けられ、窪みに合致する長さでは、吸水性樹脂土嚢は、間違いなく窪み入れることが出来ることを確認できた。
【００４５】
また吸水性樹脂土嚢は窪みに着底し膨潤して、水流と水槽側面の間に静置水状態を出現させ、バリヤー層を形成出来ることを確認した。
本願発明方法は、激流に堤防洗掘防止具を投入、流下、沈底および積層させることで、洗掘部を修復して、激流から堤防損傷部を保護きることが確認できた。
【産業上の利用可能性】
【００４６】
近年、多発する日本始め世界各地での集中豪雨での堤防決壊による被害は著しく、人名の喪失とその損害額は膨大なものになる。緊急の応急対策資材の開発は進んでおらず、だれでも堤防損傷部に接することなく安全に離れた距離を置いて対策使用できる本発明製品は、豪雨洪水時に広く使用されることが期待できる。
【図面の簡単な説明】
【００４７】
【図１】図１は、本発明方法を実施する前の状況を説明する図である。
【図２】図２は、本発明方法実施途中の状況を説明する図である。
【図３】図３は、図１、２の堤防洗掘防止具４の構造を説明する図であり、吸水樹脂土嚢の吸水膨張前の状態を説明する図である。
【図４】図４は吸水樹脂土嚢が吸水して膨張した後の状況を説明する図である。
【図５】図５は、図３、４と異なる形状の吸水樹脂土嚢の例を説明する図である。
【図６】吸水樹脂土嚢６の構造とその作用機能を説明する図であり、吸水前の正面図。
【図７】吸水樹脂土嚢６の構造とその作用機能を説明する図であり、吸水前の断面図。
【図８】吸水樹脂土嚢６の構造とその作用機能を説明する図であり、吸水膨張後の断面図である。
【図９】芯材５の重量を調整するための構造を説明する図である。
【図１０】芯材５の重量を調整するための構造を説明する図である。
【図１１】枝葉状整流材の構造を説明する模式図である。
【図１２】堤防洗掘防止具全体の連結組立の状況模式図である。
【図１３】本発明請求項２の発明を実施する前の状況を説明する図である。
【図１４】本発明請求項２の発明を実施途中の状況を説明する図である。
【図１５】図１３、図１４で使用する吸水樹脂土嚢の説明図である。
【図１６】図１３、図１４で使用する土嚢袋の説明図である。
【符号の説明】
【００４８】
１  アンカー鉄杭            ２  支持杭            ３  ロープ  
４  堤防洗掘防止具          ５  主芯材              
６  吸水樹脂土嚢            ７  連結環              
８  重り鉄筋                ９  重り鉄くず        
１０  枝葉状整流材          １１  葉っぱ状薄片
１２  柔軟性芯材            １３  アンカー土嚢  
１４  着脱自在金具          １５  内袋（透水性カバー）    
１６  外袋（プラスチックネット等）
１７  吸水性樹脂                    
１８  重量砂粒                      
１９  円柱型リング形状                          
２０  六角型リング形状                    
２１  四角型リング形状        
２２  ２連結型形状
２３  堤防      
２４  天端面      
２５  表法面
２６  丸環付吸水樹脂土嚢
２７  丸環
２８  ロープ
２９  丸環付土嚢袋
【図１】
2015078488.tif 000003
【図２】
2015078488.tif 000004
【図３】
2015078488.tif 000005
【図４】
2015078488.tif 000006
【図５】
2015078488.tif 000007
【図６】
2015078488.tif 000008
【図７】
2015078488.tif 000009
【図８】
2015078488.tif 000010
【図９】
2015078488.tif 000011
【図１０】
2015078488.tif 000012
【図１１】
2015078488.tif 000013
【図１２】
2015078488.tif 000014
【図１３】
2015078488.tif 000015
【図１４】
2015078488.tif 000016
【図１５】
2015078488.tif 000017
【図１６】
2015078488.tif 000018